(57)【要約】【課題】個別の空調設備の管理を適切に行い快適性及び経済性に優れる空調管理システムを既存の空調設備に適用することが可能となる空調操作装置を提供する。【解決手段】空調設備（ＡＣ）を運転操作する空調操作装置（２０）であって、データの送受信を行う通信部（２１）と、通信部（２１）から得られたデータに基づいて制御を行う運転制御部（２２）と、空調設備（ＡＣ）に対して運転指示を行う送信部（２４）と、を有し、運転制御部（２２）は、通信部（２１）によって得られた好適な運転条件を、送信部（２４）に送信することによって空調設備（ＡＣ）を操作することを特徴とする。【選択図】図１
2017101890.tif 000002
【特許請求の範囲】
【請求項１】
空調設備を運転操作する空調操作装置であって、
データの送受信を行う通信部と、前記通信部から得られたデータに基づいて制御を行う運転制御部と、前記空調設備に対して運転指示を行う送信部と、を有し、
前記運転制御部は、前記通信部によって得られた運転条件を、前記送信部に送信することによって前記空調設備を操作する
ことを特徴とする空調操作装置。
【請求項２】
前記送信部は、赤外線によりデータ送信を行う
ことを特徴とする請求項１に記載の空調操作装置。
【請求項３】
請求項１または請求項２に記載の空調操作装置と、
データの送受信を行う通信部と、前記通信部から得られたデータに基づいて制御を行う演算制御部と、を有する空調管理装置と、を有し、
前記演算制御部は、前記通信部により前記空調設備の消費電力量の消費電力データと前記空調設備が存する地域の気象データを取得し、前記消費電力データ及び前記気象データを解析することで気象予測に基づき運転条件を算出し、
前記空調操作装置は、前記運転条件に基づいて前記空調設備を操作する
ことを特徴とする空調管理システム。
【請求項４】
前記演算制御部は、前記消費電力データを解析することで前記空調設備の機器使用傾向を算出し、前記消費電力データ及び前記気象データを解析することで気温−消費電力量関係図を作成し、前記機器使用傾向と前記気温−消費電力量関係図を基により効率的な運転条件を算出する
ことを特徴とする請求項３に記載の空調管理システム。
【発明の詳細な説明】
【技術分野】
【０００１】
本発明は、空調を効率よく運転操作するための空調操作装置及びこれを用いた空調管理システムに関する。
【背景技術】
【０００２】
従来、個別の空調の好適な制御を図るため、空調制御装置を有する空調管理システムがある（例えば、特許文献１参照）。特許文献１では、室内温度に対するユーザの意思情報を数値化したデータに基づいて空調機を制御している。ここで、空調機のユーザの意思は、ユーザの好みによるものの、おおむね快適性や経済性もしくはその両方を求めて決断されるものである。
【０００３】
しかしながら、快適性や経済性を求めるユーザの意思情報に基づく運転制御が、必ずしもユーザの求めるとおりに快適性や経済性を具備した制御であるとは限らない。すなわち、ユーザの意思には整合しているものの、ユーザが断念した快適性のみならず、ユーザが獲得しようとした経済性をも得られないという結果となるという問題がある。
【０００４】
例えば、ユーザが経済性を得ようとして、高気温時において暑さを我慢して快適性を断念し、空調を作動させるタイミングを遅らせる意思を持っているとする。この場合でも、実際は、ユーザの意思よりも早いタイミングで、高気温時前に空調を作動させた方が、エアコンのヒートポンプ性能を最大限に発揮させるという面からは、経済性が得られるということがある。特に、厳しい気温の場合には、ユーザが経済性を求めて暑さを我慢するあまり熱中症等の体調不良になるおそれもあるため、ユーザの意思の尊重が必ずしも適切な制御になるとは限らない。
【０００５】
また、適切な制御をなしうるシステムがあったとしても、システムの導入は困難であるという問題がある。例えば、家庭で使うエネルギーを節約するための管理システム（ＨＥＭＳ：Home Energy Management System）が既にあるが、現状で空調設備が系統的に独立した構造である場合には物理的な困難性があり、賃貸住宅の場合にはシステムの導入が貸主の意向によることやシステム導入に経済的な負担が大きいことから現実的な困難性がある。
【先行技術文献】
【特許文献】
【０００６】
【特許文献１】特開２０１５−１６９４１８号公報
【発明の概要】
【発明が解決しようとする課題】
【０００７】
本発明は上述の点に鑑みてなされたものでありその目的は、個別の空調設備の管理において、ヒートポンプ性能を最大限となるよう、適切に行い快適性及び経済性に優れる空調管理システムを既存の空調設備に適用することが可能となる空調操作装置を提供することにある。
【課題を解決するための手段】
【０００８】
上記課題を解決するため本発明にかかる空調設備（ＡＣ）を運転操作する空調操作装置（２０）は、データの送受信を行う通信部（２１）と、通信部（２１）から得られたデータに基づいて制御を行う運転制御部（２２）と、空調設備（ＡＣ）に対して運転指示を行う送信部（２４）と、を有し、運転制御部（２２）は、通信部（２１）によって得られた運転条件（Ｄｇ）を、送信部（２４）に送信することによって空調設備（ＡＣ）を操作することを特徴とする。
【０００９】
このように、運転制御部（２２）が、通信部（２１）によって得られた運転条件（Ｄｇ）を、送信部（２４）に送信することによって空調設備（ＡＣ）を操作することとすれば、好適な運転条件（Ｄｇ）を外部から得た場合に、運転制御部（２２）が当該運転条件（Ｄｇ）を送信部（２４）を用いて既存の空調設備（ＡＣ）に送信することが可能となるため、好適な運転条件（Ｄｇ）を個別の空調設備（ＡＣ）にフィードバックすることが可能となる。これにより、ＨＥＭＳ等の効率的な運転情報のデータを既存の空調設備（ＡＣ）に対して導入することが容易に可能となる。よって、個別の空調設備（ＡＣ）の管理を適切に行い快適性及び経済性に優れる空調管理システム（１）を既存の空調設備に適用することが可能となる。
【００１０】
また、上記空調操作装置（２０）において、送信部（２４）が、赤外線によりデータ送信を行うこととしてもよい。このように、一般的に使用される赤外線通信により空調設備（ＡＣ）を操作することとすれば、既存の一般的な空調設備（ＡＣ）に対しても容易に導入することが可能となる。
【００１１】
また、上記空調操作装置（２０）を有する空調管理システム（１）として、データの送受信を行う通信部（１１）と、通信部（１１）から得られたデータに基づいて制御を行う演算制御部（１２）と、を有する空調管理装置（１０）と、を有し、演算制御部（１２）は、通信部（１１）により空調設備（ＡＣ）の消費電力量の消費電力データ（Ｄ１）と空調設備（ＡＣ）が存する地域の気象データ（Ｄ２）を取得し、消費電力データ（Ｄ１）及び気象データ（Ｄ２）を解析することで気象予測に基づき運転条件（Ｄｇ）を算出し、空調操作装置（２０）は、運転条件（ＤＧ）に基づいて空調設備（ＡＣ）を操作することを特徴としてもよい。
【００１２】
このように、空調管理装置（１０）の演算制御部（１２）が、空調設備（ＡＣ）の消費電力データ（Ｄ１）を解析するのみならず、空調設備（ＡＣ）が存する地域の気象データ（Ｄ２）を解析することで、個別の空調設備（ＡＣ）の具体的且つ効率的な運転条件（Ｄｇ）を得ることができる。また、得られた運転条件（Ｄｇ）は、気象予測に基づいて判断された適切なタイミングで、空調操作装置（２０）を通じて空調設備（ＡＣ）を操作することとなる。すると、空調管理装置（１０）が算出した好適な運転条件（Ｄｇ）を個別の空調設備（ＡＣ）にフィードバックすることが可能となり、ユーザが意識することなしに、空調設備（ＡＣ）の操作を適切なタイミングで行うことができる。よって、個別の空調設備（ＡＣ）の管理を適切に行い、快適性及び経済性に優れる空調管理システム（１）を提供することができる。
【００１３】
また、上記空調管理システム（１）において、演算制御部（１２）は、消費電力データ（Ｄ１）を解析することで空調設備（ＡＣ）の機器使用傾向（Ｄ３）を算出し、消費電力データ（Ｄ１）及び気象データ（Ｄ２）を解析することで気温−消費電力量関係図（Ｄ４）を作成し、機器使用傾向（Ｄ３）と気温−消費電力量関係図（Ｄ４）を基により効率的な運転条件（ＤＧ）を算出することを特徴としてもよい。
【００１４】
このように、消費電力データ（Ｄ１）を解析することで空調設備（ＡＣ）の機器使用傾向（Ｄ３）を算出することで、個別のユーザの操作における改善点を発見することが可能となり、消費電力データ（Ｄ１）及び気象データ（Ｄ２）を解析することで気温−消費電力量関係図（Ｄ４）を作成することで、外気温に対する個別の空調設備（ＡＣ）の操作における改善点を発見することが可能となる。ここで、機器使用傾向（Ｄ３）と気温−消費電力量関係図（Ｄ４）を基により効率的な運転条件（Ｄｇ）を算出することで、適切な空調設備（ＡＣ）の操作が可能となる。  
なお、上記の括弧内の符号は、後述する実施形態の対応する構成要素の符号を本発明の一例として示したものである。
【発明の効果】
【００１５】
本発明にかかる空調操作装置によれば、個別の空調設備の管理を適切に行い快適性及び経済性に優れる空調管理システムを既存の空調設備に適用することが可能となる。
【図面の簡単な説明】
【００１６】
【図１】空調管理システムの全体説明図である。
【図２】空調管理システムの制御手順を示すフローチャートである。
【図３】演算制御部による制御手順を詳細に示すフローチャートである。
【図４】消費電力データから機器使用傾向を把握する様子の一例を示すグラフである。
【図５】気温−消費電力量関係から運転条件を求める手順の一例を示すグラフである。
【図６】空調設備を操作するタイミングを決定する手順の一例を示すグラフである。
【発明を実施するための形態】
【００１７】
以下、添付図面を参照して本発明の空調操作装置２０を空調管理システム１に適用した実施形態を詳細に説明する。図１は、空調管理システム１の全体説明図である。図１に示すように、空調管理システム１は、演算制御部１２を具備する空調管理装置１０と、空調設備ＡＣの運転制御部２２を具備する空調操作装置２０を有する。空調管理装置１０と空調操作装置２０とは外部の通信網ＩＴ（インターネット）を介して通信可能であり、通信網ＩＴの中には、気象情報提供部４０がある。次に、各部を詳細に説明する。
【００１８】
空調設備ＡＣには、一般的に消費電力量を示す機器が備えられており、通信部３１からの信号を通じて、外部から消費電力量を把握することができる。また、空調設備ＡＣには、操作信号受信部３２があり、不図示の一般的な運転操作装置（リモコン）の赤外線等の信号を受信することにより操作される。空調設備ＡＣは、例えば、インバータ制御によりヒートポンプ式のエアコン等が挙げられる。ヒートポンプ式のエアコンは、外気温と室温の温度差が小さいほどエネルギー消費が少ないという特徴がある。
【００１９】
空調管理装置１０は、データの送受信を行う通信部１１と、通信部１１から得られたデータに基づいて制御を行う演算制御部１２と、取得したデータの格納や演算の結果得られたデータの格納を行う記憶部１３と、を有する。空調管理装置１０は通信網ＩＴと接続されたサーバ等のコンピュータである。
【００２０】
通信部１１は、有線または無線の通信手段を用いてデータの送受信を行う。具体的には、通信網ＩＴを通じて空調操作装置２０や気象情報提供部４０からのデータを受信したり、通信網ＩＴを通じて空調管理装置１０に対してデータを送信したりする。
【００２１】
演算制御部１２は、ＣＰＵ等を実装し、通信部１１を用いて通信網ＩＴを介して得るデータを選択し、通信部１１から得られたデータに基づいて演算し、好適な空調設備ＡＣの運転条件を算出し、通信部１１を用いて空調操作装置２０に対して送信する。具体的に得るデータ及び具体的な算出方法については、後述する。
【００２２】
記憶部１３は、通信部１１で取得したデータや演算制御部１２で演算して算出したデータを格納（記憶）するものである。例えば、データの読み書きが可能なハードディスク、メモリ、ＤＶＤディスク、ブルーレイディスク等の各種の記憶媒体であり、将来的に開発される記憶媒体を含む。
【００２３】
空調操作装置２０は、データの送受信を行う通信部２１と、通信部２１から得られたデータに基づいて制御を行う運転制御部２２と、取得したデータの格納や演算の結果得られたデータの格納を行う記憶部２３と、空調設備ＡＣに対して運転指示を行う送信部２４とを有する。空調操作装置２０は、空調設備ＡＣと同じ室内に配置される小型の端末であり、不図示の家庭用電源から電源を供給することとしても、電池により電源を供給することとしてもよい。
【００２４】
通信部２１は、有線または無線の通信手段を用いてデータの送受信を行う。具体的には、空調設備ＡＣの消費電力量のデータを受信したり、空調設備ＡＣから受信したデータを空調管理装置１０へ送信したり、通信網ＩＴを通じて空調管理装置１０からのデータを受信したりする。ここで、空調操作装置２０から空調管理装置１０へのデータ通信は通信網ＩＴを介して通信を行っても、直接通信することとしてもよい。
【００２５】
運転制御部２２は、ＣＰＵ等を実装し、通信部２１から得られたデータを処理する。例えば、通信部３１から通信部２１が得たデータを空調管理装置１０に送信する指示を出したり、空調管理装置１０から得たデータを記憶部２３に格納したり、記憶部２３に格納したデータを送信部２４によって空調設備ＡＣの操作信号受信部３２に送信する指示を出したりする。
【００２６】
記憶部２３は、通信部２１で取得したデータを格納（記憶）するものである。例えば、データの読み書きが可能なハードディスク、メモリ、ＤＶＤディスク、ブルーレイディスク等の各種の記憶媒体であり、将来的に開発される記憶媒体を含む。
【００２７】
送信部２４は、空調設備ＡＣの操作信号受信部３２に対して運転指示を行う信号を発する。送信部２４は、赤外線によりデータ送信を行うこととすると好ましい。一般的な空調設備ＡＣの運転操作装置が赤外線により操作する仕様となっているためである。なお、操作信号は、必ずしも赤外線を用いて伝達する必要はない。
【００２８】
気象情報提供部４０は、通信網ＩＴに接続される気象情報提供サービスである。気象情報提供部４０からの情報としては、温度、湿度、気圧、日照、天候等の気象情報に加え、標高、緯度、経度等の位置情報が含まれる。気象情報提供部４０は必ずしも１箇所の機関が提供する情報に限らず、複数の機関が提供する情報を総合的に判断することとしてもよい。
【００２９】
次に、以上の構成の空調管理システム１を用いて好適な運転条件Ｄｇを得るまでの手順の一例を説明する。図２は、空調管理システム１の制御手順を示すフローチャートである。
【００３０】
まず、空調管理システム１では、図２に示すように、空調操作装置２０は、空調設備ＡＣの通信部３１から送信される消費電力量のデータである消費電力データＤ１を、通信部２１により取得する（ステップＳ１）。ステップＳ１において、データを取得する頻度は空調設備ＡＣの運転中、常時取得することとしてもよいし、時間を指定して断続的に取得することとしてもよい。
【００３１】
空調操作装置２０により得られた消費電力データＤ１は、通信部２１から通信部１１へ送信され、空調管理装置１０により取得される（ステップＳ２）。ステップＳ２において、データの送信は、通信網ＩＴを経由しても、通信部２１から通信部１１へ直接送信されることとしてもよい。
【００３２】
また、空調管理装置１０は、気象情報提供部４０から通信網ＩＴを経由して気象データＤ２を取得する（ステップＳ３）。気象情報提供部４０により得られる気象データには、上述のように気象情報と位置情報が含まれるため、空調設備ＡＣが存する地域の気象データＤ２である必要がある。
【００３３】
なお、説明の都合上、ステップＳ１及びステップＳ２の後に、ステップＳ３を説明したが、必ずしもこの順に限るものではない。消費電力データＤ１と気象データＤ２とはそれぞれ独立して得られるデータであるので、ステップＳ１及びステップＳ２とステップＳ３とは順不同である。また、通信部１１により得られたデータは、適宜、演算制御部１２により記憶部１３に記憶され、必要に応じて蓄積される。
【００３４】
そして、空調管理装置１０の演算制御部１２が、消費電力データＤ１及び前記気象データＤ２を解析する（ステップＳ４）。これにより、気象予測に基づき好適な運転条件Ｄｇのデータを作成する（ステップＳ５）。好適な運転条件Ｄｇを得る手順については後に詳述する。
【００３５】
空調管理装置１０で得られた運転条件Ｄｇは、通信部１１から通信部２１に送信され、空調操作装置２０が好適な運転条件Ｄｇを取得する（ステップＳ６）。通信部２１により得られた運転条件Ｄｇは、運転制御部２２が、適宜、記憶部２３に格納する。その後、空調操作装置２０は、適切なタイミングＴｇで運転条件Ｄｇを空調設備ＡＣに対して送信することで（ステップＳ７）、空調設備ＡＣを適切に操作する。
【００３６】
次に、演算制御部１２が、消費電力データＤ１及び前記気象データＤ２を解析して、気象予測に基づき好適な運転条件Ｄｇのデータを作成するまでの手順を詳しく説明する。図３は、演算制御部１２による制御手順を詳細に示すフローチャートである。図３では、図２におけるステップＳ４とステップＳ５を詳しく記載している。
【００３７】
演算制御部１２は、通信部１１から得られた消費電力データＤ１を記憶部１３に蓄積し、この蓄積された消費電力データＤ１を解析する（ステップＳ４ａ）。これにより、ユーザごとの機器使用傾向Ｄ３を算出する（ステップＳ４ｂ）。機器使用傾向Ｄ３とは、例えば、いかなる時刻において消費電力量がいかに変動したかを表すグラフなどである。
【００３８】
一方、演算制御部１２は、消費電力データＤ１及び気象データＤ２を記憶部１３に蓄積しつつ解析する（ステップＳ４ｃ）。これにより、気温−消費電力量関係図Ｄ４を作成する（ステップＳ４ｄ）。
【００３９】
次に、演算制御部１２は、機器使用傾向Ｄ３と前記気温−消費電力量関係図Ｄ４から、データを比較検討し、ユーザの機器使用傾向Ｄ３より効率的な運転条件Ｄｇを算出する（ステップＳ５ａ）。
【００４０】
その後、演算制御部１２は、気象データＤ２を解析することで予測気温データＤ５を作成する（ステップＳ５ｂ）。そして、予測気温データＤ５に基づいて、空調操作装置２０が運転条件Ｄｇにて空調設備ＡＣを操作する好適なタイミングＴｇを決定する（ステップＳ５ｃ）。
【００４１】
上述の図３にて手順を説明した演算制御部１２による好適な運転条件Ｄｇ及び空調操作装置２０が空調設備ＡＣに運転条件Ｄｇを送信する好適なタイミングＴｇについて図４乃至図６を用いて具体的に説明する。図４は、消費電力データＤ１から機器使用傾向Ｄ３を把握する様子の一例を示すグラフである。
【００４２】
図４に示すように、演算制御部１２は、通信部１１から得られた消費電力データＤ１を時刻ごとに記憶部１３に蓄積し、この蓄積された消費電力データＤ１を時刻ごとに並べる。これにより、機器使用傾向Ｄ３をグラフ化し、ユーザの使用傾向を把握することできる。例えば、図４の例によれば、空調設備ＡＣのユーザが、時刻Ｔａ１において空調設備ＡＣの電源をＯＮにし、時刻Ｔａ２において空調設備ＡＣの電源をＯＦＦにし、再び時刻Ｔａ３で空調設備ＡＣの電源をＯＮにしていることがわかる。
【００４３】
また、演算制御部１２は、気象データＤ２を記憶部１３に蓄積し、解析する。図４においては、気象データＤ２のうちの気温（外気温）を、時刻に応じてグラフで表している。そして、上述の機器使用傾向Ｄ３と外気温を重ねることにより、気温−消費電力量関係図Ｄ４を作成する。すると、各時刻に応じた外気温と消費電力量の関係を把握することができる。
【００４４】
図４の気温−消費電力量関係Ｄ４から解析することで、例えば、本件の空調設備ＡＣのユーザは、外気温がＣａ以上になった時刻Ｔａ１の時点で電源をＯＮにし、たとえ空調設備ＡＣが定常状態になって、空調設備ＡＣの電源をＯＦＦにした（時刻Ｔａ２の時点）としても、外気温がＣａ以上であるときは、電源をＯＦＦにしてから比較的短い時間しか経っていない時刻Ｔａ３の時点で再び電源をＯＮにする傾向にあることがわかる。この場合、このユーザは外気温がＣａ以上になっているときに電源をＯＮにする傾向があることがわかる。
【００４５】
図５は、気温−消費電力量関係Ｄ４から運転条件Ｄｇを求める手順の一例を示すグラフである。（ａ）が機器使用傾向Ｄ３を表したグラフ、（ｂ）が運転条件Ｄｇを表したグラフ、（ｃ）が機器使用傾向Ｄ３と運転条件Ｄｇとを重ねたグラフ、である。
【００４６】
演算制御部１２は、図５（ａ）に示すような機器使用傾向Ｄ３と前記気温−消費電力量関係図Ｄ４から、データを比較検討する。そして、ユーザの機器使用傾向Ｄ３より効率的な運転条件Ｄｇを算出する。例えば、図５（ｂ）に示すように、ユーザが電源をＯＮにする外気温Ｃａよりも低い外気温Ｃｇで、ユーザが電源をＯＮにする傾向にある時刻Ｔａ１よりも早いタイミングＴｇで電源をＯＮにするような運転条件Ｄｇを算出する。ここで、運転条件Ｄｇでは、ユーザと異なり、電源をＯＦＦにしない制御を算出している。
【００４７】
この場合、運転条件Ｄｇのグラフを、図５（ｃ）のように、機器使用傾向Ｄ３のグラフに重ねて、所定時間内の電力消費量の総量の差を測ると、運転条件Ｄｇによる電力消費量Ｓｇ１と電力消費量Ｓｇ２との和の方が、ユーザの機器使用傾向Ｄ３による電力消費量Ｓａ１と電力消費量Ｓａ２との和よりも小さいのがわかる。すなわち、電源のＯＮとＯＦＦを短時間で切り替えない運転条件Ｄｇの方が、電源のＯＮとＯＦＦを短時間で切り替えたユーザの機器使用傾向Ｄ３よりも効率がいいことになる。演算制御部１２は、このような演算結果となるように演算することで、ユーザよりも好適な運転条件Ｄｇを求めている。
【００４８】
図６は、空調設備ＡＣを操作するタイミングＴｇを決定する手順の一例を示すグラフである。図６の例では、説明を簡略化するため、運転条件Ｄｇを求める際の温度変化傾向と予測気温データＤ５の温度変化傾向が類似になった例を挙げている。
【００４９】
図６のように、演算制御部１２は、気象データＤ２を解析することで、空調設備ＡＣの存する地域の予測気温データＤ５を作成する。そして、前述の運転条件Ｄｇから、外気温がＣｇになるときのタイミングＴｇにおいて、空調設備ＡＣの電源をＯＮにすることを決定する。そして、上述の時刻Ｔａ２においては電源をＯＦＦにせず、ＯＮのままで維持することを決定する。
【００５０】
以上のような構成により、空調設備ＡＣを運転操作する本実施形態の空調操作装置２０のでは、運転制御部２２が、通信部２１によって得られた運転条件Ｄｇを、送信部２４に送信することによって空調設備ＡＣを操作することとする。これによれば、好適な運転条件Ｄｇを外部から得た場合に、運転制御部２２が当該運転条件Ｄｇを送信部２４を用いて既存の空調設備ＡＣに送信することが可能となる。このため、好適な運転条件Ｄｇを個別の空調設備ＡＣにフィードバックすることが可能となる。これにより、ＨＥＭＳ等の効率的な運転情報のデータを既存の空調設備ＡＣに対して導入することが容易に可能となる。よって、個別の空調設備ＡＣの管理を適切に行い快適性及び経済性に優れる空調管理システム１を既存の空調設備に適用することが可能となる。
【００５１】
また、上記空調操作装置２０において、送信部２４が、赤外線によりデータ送信を行うこととしてもよい。このように、一般的に使用される赤外線通信により空調設備ＡＣを操作することとすれば、既存の一般的な空調設備ＡＣに対しても容易に導入することが可能となる。
【００５２】
また、上記空調操作装置２０を有する空調管理システム１とした場合、空調管理装置１０の演算制御部１２が、空調設備ＡＣの消費電力データＤ１を解析するのみならず、空調設備ＡＣが存する地域の気象データＤ２を解析することで、個別の空調設備ＡＣの具体的且つ効率的な運転条件Ｄｇを得ることができる。また、得られた運転条件Ｄｇは、気象予測に基づいて判断された適切なタイミングで、空調操作装置２０を通じて空調設備ＡＣを操作することとなる。すると、空調管理装置１０が算出した好適な運転条件Ｄｇを個別の空調設備ＡＣにフィードバックすることが可能となり、ユーザが意識することなしに、空調設備ＡＣの操作を適切なタイミングで行うことができる。よって、個別の空調設備ＡＣの管理を適切に行い、快適性及び経済性に優れる空調管理システム１を提供することができる。
【００５３】
また、上記空調管理システム１において、消費電力データＤ１を解析することで空調設備ＡＣの機器使用傾向Ｄ３を算出することとすると、個別のユーザの操作における改善点を発見することが可能となる。また、消費電力データＤ１及び気象データＤ２を解析することで気温−消費電力量関係図Ｄ４を作成することとすると、外気温に対する個別の空調設備ＡＣの操作における改善点を発見することが可能となる。ここで、機器使用傾向Ｄ３と気温−消費電力量関係図Ｄ４を基に、より効率的な運転条件Ｄｇを算出することで、適切な空調設備ＡＣの操作が可能となる。
【００５４】
以上、本発明の実施形態を説明したが、本発明は、上記実施形態に限定されるものではなく、特許請求の範囲、及び明細書と図面に記載された技術的思想の範囲内において種々の変形が可能である。
【符号の説明】
【００５５】
１…空調管理システム
１０…空調管理装置
１１…通信部
１２…演算制御部
１３…記憶部
２０…空調操作装置
２１…通信部
２２…運転制御部
２３…記憶部
２４…送信部
３１…通信部
３２…操作信号受信部
４０…気象情報提供部
ＡＣ…空調設備
Ｄ１…消費電力データ
Ｄ２…気象データ
Ｄ３…機器使用傾向
Ｄ４…気温−消費電力量関係図
Ｄ５…予測気温データ
Ｄｇ…運転条件
ＩＴ…通信網
Ｔｇ…タイミング
【図１】
2017101890.tif 000003
【図２】
2017101890.tif 000004
【図３】
2017101890.tif 000005
【図４】
2017101890.tif 000006
【図５】
2017101890.tif 000007
【図６】
2017101890.tif 000008